(57)【特許請求の範囲】
【請求項１】
キャビネット本体の収納凹部の前面開口に内扉と外扉が内外に位置するように配置し、内扉の一方の側縁をキャビネット本体に回転自在に連結すると共に内扉の他方の側縁に外扉の一方の側縁を回転自在に連結し、内扉の閉塞位置で内扉に係止し得る係止手段をキャビネット本体に設け、外扉に上記係止手段の係止を解除する係止解除手段を設け、内扉を閉じた状態で外扉だけを開くと内扉が係止手段に係止されると共に内扉及び外扉を閉じたとき係止手段の係止が係止解除手段で解除されるようにしたことを特徴とする化粧キャビネット。
【請求項２】
内扉に外扉を重ねたとき内扉に掛止し得る掛止手段を外扉に設けると共にこの掛止手段に掛止を解除する掛止解除手段を設けたことを特徴とする請求項１記載の化粧キャビネット。
【請求項３】
内扉の裏面に収納棚を設けたことを特徴とする請求項１または請求項２記載の化粧キャビネット。
【発明の詳細な説明】
【０００１】
【発明の属する技術分野】
本発明は、洗面化粧台に設けるミラーキャビネットのような化粧キャビネットの構造に関するものである。
【０００２】
【従来の技術】
従来、この種の化粧キャビネットとしては実開昭５４−３６５４８号公報に開示されるものがあり、図９、図１０に示すように構成されている。キャビネット本体１′の正面には正面鏡２′を固定的に取り付けてあり、正面鏡２′の左右方向の両側には前面を開口せる収納凹部３′を設けてある。収納凹部３′の前面開口には内扉４′と外扉５′を配置してあり、外扉５′には側面鏡６′を装着してある。内扉４′の外側の側縁が蝶番７′にてキャビネット本体１′に回転自在に連結してあり、外扉５′の内側の端縁を内扉４′の内側の端縁に蝶番９′にて回転自在に連結してある。図１０（ａ）は外扉５′及び内扉４′を閉塞した状態であるが、三面鏡として用いる場合は、図１０（ｂ）に示すように外扉５′だけを開いて使用するようになっており、収納凹部３′に対して収納物の出し入れをする場合には図１０（ｃ）に示すように外扉５′と内扉４′とを重ねた状態で外扉５′と一緒に内扉４′を開けるようになっている。
【０００３】
【発明が解決しようとする課題】
ところが、上記従来例ではキャビネット本体１′に内扉４′を回転自在に連結すると共に内扉４′に外扉５′を回転自在に連結しているだけのために外扉５′を開くとき図１１に示すように内扉４′も開くおそれがあり、側方に壁８があると、側面鏡６′のある外扉５′が壁８に当るという弊害が生じるおそれがある。
【０００４】
本発明は叙述の点に鑑みてなされたものであって、外扉だけを開くときに内扉が開くことがなくて弊害なく使用できる化粧キャビネットを提供することを課題とする。
【０００５】
【課題を解決するための手段】
上記課題を解決するための本発明の化粧キャビネットは、キャビネット本体１の収納凹部３の前面開口に内扉４と外扉５が内外に位置するように配置し、内扉４の一方の側縁をキャビネット本体１に回転自在に連結すると共に内扉４の他方の側縁に外扉５の一方の側縁を回転自在に連結し、内扉４の閉塞位置で内扉４に係止し得る係止手段Ａをキャビネット本体１に設け、外扉５に上記係止手段Ａの係止を解除する係止解除手段Ｂを設け、内扉４を閉じた状態で外扉５だけを開くと内扉４が係止手段Ａに係止されると共に内扉４及び外扉５を閉じたとき係止手段Ａの係止が係止解除手段Ｂで解除されるようにしたことを特徴とする。外扉５を引っ張って開いたときは内扉４がキャビネット本体１の係止手段Ａに係止されて外扉５だけが開かれるものであって、外扉５だけを開くときに内扉４が一緒に開かれるという弊害が生じない。また内扉４に外扉５を重ねた状態で内扉４を引っ張って開くときは係止手段Ａの係止が係止解除手段Ｂで解除されているために内扉４に外扉５が重なった状態で開くことができ、内扉４を開くことで収納物の出し入れができる。
【０００６】
また内扉４に外扉５を重ねたとき内扉４に掛止し得る掛止手段Ｃを外扉５に設けると共にこの掛止手段Ｃに掛止を解除する掛止解除手段Ｄを設けたことを特徴とすることも好ましい。外扉５を開くときには掛止手段Ｃの掛止を掛止解除手段Ｄで外して外扉５を引っ張ることができる。また内扉４を開くときには外扉５と内扉４とを掛止した状態で内扉４を引っ張って開くことで外扉５を内扉４に重ねた状態を保持した状態で開くことができ、内扉４を開くとき外扉５だけが単独で開いたりする弊害がない。
【０００７】
また内扉４の裏面に収納棚１０を設けたことを特徴とすることも好ましい。内扉４の裏面にも収納することができると共に内扉４を開いたときこの収納棚１０に対する出し入れが容易になる。
【０００８】
【発明の実施の形態】
化粧キャビネットは洗面化粧台において、洗面台の上に取り付けられるものであり、化粧キャビネットのキャビネット本体１は図１に示すように矩形状に形成されている。キャビネット本体１の上部には照明器具が装着してあり、照明器具に照明カバー１１が被着されている。照明器具の下方でキャビネット本体１の中央には収納凹所１２を凹設してあり、収納凹所１２の左右にはサイド用の収納凹部３を凹設してある。収納凹所１２には収納棚１３や水切り棚１４を設けてあり、収納棚１３には落下防止バー１５を架設してある。収納凹部３内にはトレイ１６や内部コンセント１７等を設けてある。上記トレイ１６は位置を可変に取り替えられる可変トレイとなっている。キャビネット本体１の下部には左右方向に全長に亙るように下部鏡１８を止め具２２にて装着してあり、下部鏡１８の左右両側には照明スイッチ１９や曇り止めスイッチ２０や外部コンセント２１等を装着してある。
【０００９】
収納凹所１２の前面側には収納凹所１２の前面開口を覆い得る大きさの正面扉２を配置してあり、正面扉２の一側を蝶番３７にて回転自在に連結して正面扉２が開閉自在になっている。正面扉２は本例の場合、正面鏡２ａとなっている。左右両側の収納凹部３の前面開口にはこの前面開口を覆い得る内扉４と外扉５とを配置してあり、内扉４の外側の端縁はキャビネット本体１に蝶番７にて回転自在に連結してあり、外扉５の内側の端縁は内扉４の内側の端縁に蝶番９にて回転自在に連結してある。内扉４は本例の場合、扉状の収納ボックス４ａとなっており、収納ボックス４ａの裏面側にブラシ立て等の収納棚１０を設けてある。本例の場合、収納ボックス４ａの裏面側に収納棚１０を設けて収納ボックス４ａの表面側が盲面となっているが、収納ボックス４ａの表面側にも収納棚を設けてあってもよい。外扉５は本例の場合、側面鏡５ａとなっている。
【００１０】
内扉４は内扉４を閉じた状態でキャビネット本体１に係止手段Ａにて係止できるようになっている。この係止手段Ａは本例の場合、図５乃至図７に示すようにキャビネット本体１の前面から突設した突片２５と突片２５の先端の上面に出入り自在に設けた係止爪２６と内扉４に貫通するように設けた係止穴２７とで構成されている。係止爪２６は突片２５内に内装したばね２８にて突出するように弾発付勢されており、ばね２８に抗して押圧することで図７（ａ）に示すように引っ込ませることができると共に押圧を解除することで図７（ｂ）のように突出させることができるようになっている。また外扉５には内扉４に重ねて内扉４と一緒に閉じたとき上記係止手段Ａの係止を解除する係止解除手段Ｂを設けてある。本例の場合、係止解除手段Ｂは外扉５の裏面に突設した凸部２９にて形成されている。内扉４を閉じると共に外扉５も閉じて外扉５を内扉４に重ねたときは図５（ａ）の状態になり、突片２５が係止穴２７に挿通されるが、凸部２９が係止爪２６をばね２８に抗して引っ込ませて係止を解除するようになっている。この状態で外扉５を開いたときは図５（ｂ）の状態になり、凸部２９が係止爪２６から離れて係止爪２６の押圧が解除され、係止爪２６が突出して係止爪２６が係止穴２７に係止して内扉４の係止状態が維持されるようになっている。
【００１１】
また内扉４に外扉５を重ねたとき内扉４に外扉５を掛止手段Ｃで掛止できるようになっている。この掛止手段Ｃは本例の場合、図８に示すように外扉５の裏面に軸３０にて回転自在に装着した掛止杆３１と掛止杆３１の先端に設けた掛止爪３２と掛止爪３２が掛止する方向に掛止杆３１を回転付勢するばね３３とで構成されている。この掛止手段Ｃは本例の場合、外扉５の下端に設けた取っ手片３４の裏面側に設けてある。また外扉５には外扉５と内扉４の掛止を外す掛止解除手段Ｄを設けてある。この掛止解除手段Ｄは掛止杆３１から一体に連出した摘み片３５で形成されている。内扉４に外扉５を重ねたときは図８（ａ）に示すようにばね３３で付勢された掛止爪３２が内扉４に掛止するようになっている。外扉５を開くときは取っ手片３４と摘み片３５を摘んで、ばね３３に抗して掛止杆３１を回転させて掛止爪３２の掛止を解除して外扉５を開くようになっている。
【００１２】
内扉４としての収納ボックス４ａを閉じて収納凹部３に収納すると共に外扉５として側面鏡５ａを閉じた状態が図４（ａ）の状態である。この状態では図５（ａ）のように係止手段Ａの突片２５が係止穴２７に挿通されているが、係止解除手段Ｂとしての凸部２９で係止爪２６が押されて内扉４とキャビネット本体１の係止が解除されている。また掛止手段Ｃの掛止爪３２が図８（ａ）のように内扉４に掛止して外扉５と内扉４の掛止状態が維持されている。この状態から三面鏡として使用するために外扉５としての側面鏡５ａを開くときは取っ手片３４と摘み片３５とを摘んで図８（ｂ）に示すように掛止爪３２の内扉４に対する掛止を外し、取っ手片４を引っ張って図４（ｂ）に示すように外扉５を開く。このとき外扉５を開くことにより図５（ｂ）に示すように凸部２９が係止爪２６から外れて係止爪２６が突出して係止爪２６が係止穴２７に係止して内扉３が開かない。これにより外扉５を開くとき、内扉４が開くのが阻止され、従来のように側方に壁８があっても当ったりする弊害が生じない。また収納凹部３や収納棚１０に対して収納物を出し入れするために図４（ａ）の状態から内扉４としての収納ボックス４ａを開くときは外扉５の端縁等に指を掛けて外扉５と一緒に内扉４を引っ張って図４（ｃ）に示すように開く。このとき図８（ａ）に示すように掛止爪３２が内扉４に掛止しているために外扉５と内扉４とが重なって一体になった状態で開く。内扉４に外扉５が重なった状態では図５（ａ）のように係止爪２６が係止穴２７に係止していないために内扉４がキャビネット本体１に対して係止されていないために内扉４は開き得る状態になっている。また正面扉２を開くことで収納凹所１２を開放し、収納凹所１２に対する収納物の出し入れもできるようになっている。
【００１３】
【発明の効果】
本発明はキャビネット本体の収納凹部の前面開口に内扉と外扉が内外に位置するように配置し、内扉の一方の側縁をキャビネット本体に回転自在に連結すると共に内扉の他方の側縁に外扉の一方の側縁を回転自在に連結し、内扉の閉塞位置で内扉に係止し得る係止手段をキャビネット本体に設け、外扉に上記係止手段の係止を解除する係止解除手段を設け、内扉を閉じた状態で外扉だけを開くと内扉が係止手段に係止されると共に内扉及び外扉を閉じたとき係止手段の係止が係止解除手段で解除されるようにしたので、外扉を引っ張って開いたときは内扉がキャビネット本体の係止手段に係止されて外扉だけが開かれるものであって、外扉だけを開くときに内扉が一緒に開かれるという弊害が生じないものであり、また内扉に外扉を重ねた状態で内扉を引っ張って開くときは係止手段の係止が係止解除手段で解除されているために内扉に外扉が重なった状態で開くことができ、内扉を開くことで収納物の出し入れができるものである。
【００１４】
また本発明の請求項２の発明は、請求項１において、内扉に外扉を重ねたとき内扉に掛止し得る掛止手段を外扉に設けると共にこの掛止手段に掛止を解除する掛止解除手段を設けたので、外扉を開くときには掛止手段の掛止を掛止解除手段で外して外扉を引っ張ることができ、また内扉を開くときには外扉と内扉とを掛止した状態で引っ張って開くことで外扉を内扉に重ねた状態を保持した状態で開くことができ、内扉を開くとき外扉だけが単独で開いたりする弊害がないものである。
【００１５】
また本発明の請求項３の発明は、請求項１において、内扉の裏面に収納棚を設けたので、内扉の裏面にも収納することができると共に内扉を開いたときこの収納棚に対する出し入れが容易になるものである。
【図面の簡単な説明】
【図１】本発明の実施の形態の一例の化粧キャビネットの外扉や内扉を展開した状態を斜視図である。
【図２】同上の外扉や内扉を閉じた状態を示す斜視図である。
【図３】同上の外扉や正面扉を開いた状態の斜視図である。
【図４】同上の動作を説明する断面図であり、（ａ）は外扉や内扉を閉じた状態、（ｂ）は外扉を開いた状態、（ｃ）は内扉を開いた状態である。
【図５】同上の係止手段や係止解除手段を示す断面図であり、（ａ）は外扉や内扉を閉じた状態、（ｂ）は外扉を開くときの状態である。
【図６】同上の係止手段を示す分解斜視図である。
【図７】同上の係止手段の係止爪を示す断面図であり、（ａ）は係止爪が引っ込んだ状態、（ｂ）は係止爪が突出した状態である。
【図８】同上の掛止手段や掛止解除手段を示す断面図であり、（ａ）は掛止状態、（ｂ）は掛止解除状態である。
【図９】従来例を示す斜視図である。
【図１０】（ａ）（ｂ）（ｃ）は従来例の動作を説明する断面図である。
【図１１】従来例の問題を説明する断面図である。
【符号の説明】
１  キャビネット本体
３  収納凹部
４  内扉
５  外扉
１０  収納棚
Ａ  係止手段
Ｂ  係止解除手段
Ｃ  掛止手段
Ｄ  掛止解除手段
【図１】
0003674563.tif 000002
【図２】
0003674563.tif 000003
【図３】
0003674563.tif 000004
【図４】
0003674563.tif 000005
【図５】
0003674563.tif 000006
【図６】
0003674563.tif 000007
【図７】
0003674563.tif 000008
【図８】
0003674563.tif 000009
【図９】
0003674563.tif 000010
【図１０】
0003674563.tif 000011
【図１１】
0003674563.tif 000012